(57)【要約】【課題】少ない部材で構成し、またドレイン金具の埋設施工時に短時間に取付けることができ、大幅なコスト低減が図れる。【解決手段】ドレイン金具２１をコンクリート３０に埋設するドレイン金具埋設施工方法において、ドレイン金具２１に取付ける仮設排水冶具１０は、ドレイン金具２１の皿状部２１ａの上方部分に載置される保持板１１と、保持板１１に固定された蛇腹よりなるパイプ１２とからなり、パイプ１２は蛇腹を閉じた時にドレイン金具２１の円筒部２１ｂ内に収納される長さであり、ドレイン金具２１を覆板２５で覆う前と覆板２５を型枠２０に締結具で締結する間の施工において、仮設排水冶具２１の蛇腹を閉じた状態で、該仮設排水冶具２１の保持板１１をドレイン金具２１の皿状部２１ａの上方部分に載置し、次にドレイン金具２１及び仮設排水冶具１０を覆板２５で覆う工程を行なう。【選択図】      図１
2013129974.tif 000002
【特許請求の範囲】
【請求項１】
上方部が皿状部で、この皿上部から下方に突出した円筒部とからなるドレイン金具を、型枠上の所定位置に回り止めを介し回転方向に位置規制して設置すると共に、ドレイン金具上を覆板で覆い、この覆板を型枠に連結具で連結することによりドレイン金具を押え付け、この状態でコンクリートをドレイン金具周囲の型枠上に打設して、ドレイン金具をコンクリートに埋設するドレイン金具埋設施工方法において、
前記ドレイン金具に取付ける仮設排水冶具を備え、この仮設排水冶具は、排水口穴が設けられ、前記ドレイン金具の皿状部の上方部分に載置される保持板と、この保持板に固定された蛇腹よりなるパイプとからなり、前記パイプは蛇腹を閉じた時に前記ドレイン金具の円筒部内に収納される長さであり、前記ドレイン金具を前記覆板で覆う前と前記覆板を前記型枠に締結具で締結する間の施工において、前記仮設排水冶具の蛇腹を閉じた状態で、該仮設排水冶具の保持板を前記ドレイン金具の皿状部の上方部分に載置し、次に前記ドレイン金具及び前記仮設排水冶具を覆板で覆う工程を行なうことを特徴とするドレイン金具埋設施工方法。
【請求項２】
バルコニー等に埋設され、上方部が皿状部で、この皿上部から下方に突出した円筒部とからなるドレイン金具に仮に取付ける仮設排水冶具において、前記仮設排水冶具は、排水口穴が設けられ、前記ドレイン金具の皿状部の上方部分に載置される保持板と、この保持板に固定された蛇腹よりなるパイプとからなり、前記パイプは蛇腹を閉じた時に前記ドレイン金具の円筒部内に収納される長さであることを特徴とする仮設排水冶具。
【請求項３】
前記仮設排水冶具には、前記保持板の排水口穴の近傍に取付けられた第１のリングと、前記パイプの下方部に取付けられた第２のリングと、前記第２のリングに一端が固定され、前記パイプの排水穴を通して前記第１のリングに挿通された紐とが設けられていることを特徴とする請求項１記載のドレイン金具埋設施工方法。
【請求項４】
前記仮設排水冶具には、前記保持板の排水口穴の近傍に取付けられた第１のリングと、前記パイプの下方部に取付けられた第２のリングと、前記第２のリングに一端が固定され、前記パイプの排水穴を通して前記第１のリングに挿通された紐とが設けられていることを特徴とする請求項２記載の仮設排水冶具。
【発明の詳細な説明】
【技術分野】
【０００１】
本発明は、バルコニー、ベランダ等のコンクリートにドレイン金具を埋設するドレイン金具埋設施工方法及び埋設されたドレイン金具に仮に配設する仮設排水冶具に関する。
【背景技術】
【０００２】
例えばマンション等の建造物の施工時には、バルコニー、ベランダ等において次のような工事が行なわれる。まず、排水口にドレイン金具を埋設するドレイン金具埋設施工を行なう。次にこのドレイン金具埋設施工後に、ドレイン金具に本配管を設置するまでの期間において、雨水時でも階下のバルコニー等の下面、サッシ回りの外壁等の仕上げ作業ができるように、排水口に仮設排水冶具を配設して仮設足場の外側に排水するようにしている。前記ドレイン金具埋設施工方法として、例えば特許文献１が挙げられる。また仮設排水冶具として、例えば特許文献２及び３が挙げられる。
【０００３】
特許文献１は、上方部が皿状部で、この皿上部から下方に突出した円筒部とからなるドレイン金具を、型枠上の所定位置に回り止めを介し回転方向に位置規制して設置すると共に、ドレイン金具上を覆板で覆い、この覆板を型枠に連結具で連結することによりドレイン金具を押え付け、この状態でコンクリートをドレイン金具周囲の型枠上に打設して、ドレイン金具をコンクリートに埋設する。
【０００４】
特許文献２は、バルコニー等の排水口に埋設されたドレイン金具の排水筒に外嵌する排水受具と、この排水受具の内壁に取付ける支持腕及び高さ調整用の締付ネジを設けた固定金具と、この固定金具に上方に伸びて設けた支持杆と、この支持杆の上端に回動自在に設けた掛止片と、前記排水受具の下方部分に取付けるホース部とからなっている。そこで、排水受具に固定金具を取付け、この固定金具に掛止片を取付ける。また掛止片をドレイン金具の上端部に配設した後、排水受具をドレイン金具に外嵌させる。そして、排水受具にホース部を取付け、ホース部の先端部を足場枠の外側に配設する。
【０００５】
特許文献３は、バルコニー等の排水孔（排水口）に取付けられたドレイン口金（ドレイン金具）の下側に配置するホース接続パイプと、ドレイン金具に係止可能な第１係止部材と、ホース接続パイプに係止可能な第２係止部材と、ドレイン金具及びホース接続パイプの内側に挿入して第１及び第２係止部材を連結する連結部材と、ホース接続パイプの下方外周に取付ける柔軟性のあるホースとを有している。そこで、ドレイン金具の下側にホース接続パイプを配置し、ドレイン金具の上方に第１係止部材を係止させ、ホース接続パイプの下端に第２係止部材を係止させる。そして、第１及び第２係止部材を連結部材で連結する。次にホース接続パイプにホースを取付けする。
【先行技術文献】
【特許文献】
【０００６】
【特許文献１】特開平６−４９９９９号公報
【特許文献２】特開平１０−２１９９５１号公報
【特許文献３】特開２００１−１７３１７２号公報
【発明の概要】
【発明が解決しようとする課題】
【０００７】
特許文献１は、仮設排水冶具及びその取付け方法については全く開示されていない。
特許文献２は、排水受具、固定金具、支持杆、掛止片及びホース部等の多くの部材を必要とするので、コスト高になる。特許文献３も同様に、ホース接続パイプ、第１及び第２係止部材、連結部材及びホース等の多くの部材を必要とするので、やはりコスト高になる。また特許文献２及び３は、ドレイン金具を埋設施工してコンクリートが固まった後、ドレイン金具に前記した各部材を現場で取付けなければならない。このため、組立てに多大の時間を要し、この点からもコスト高になる。特に特許文献２は、前記各部材をねじ、鋲着等で固定する必要があるので、この点からも更にコスト高になる。
【０００８】
本発明の課題は、少ない部材で構成し、またドレイン金具の埋設施工時に短時間に取付けることができ、大幅なコスト低減が図れるドレイン金具埋設施工方法及び仮設排水冶具を提供することにある。
【課題を解決するための手段】
【０００９】
上記課題を解決するための本発明の請求項１のドレイン金具埋設施工方法は、上方部が皿状部で、この皿上部から下方に突出した円筒部とからなるドレイン金具を、型枠上の所定位置に回り止めを介し回転方向に位置規制して設置すると共に、ドレイン金具上を覆板で覆い、この覆板を型枠に連結具で連結することによりドレイン金具を押え付け、この状態でコンクリートをドレイン金具周囲の型枠上に打設して、ドレイン金具をコンクリートに埋設するドレイン金具埋設施工方法において、
前記ドレイン金具に取付ける仮設排水冶具を備え、この仮設排水冶具は、排水口穴が設けられ、前記ドレイン金具の皿状部の上方部分に載置される保持板と、この保持板に固定された蛇腹よりなるパイプとからなり、前記パイプは蛇腹を閉じた時に前記ドレイン金具の円筒部内に収納される長さであり、前記ドレイン金具を前記覆板で覆う前と前記覆板を前記型枠に締結具で締結する間の施工において、前記仮設排水冶具の蛇腹を閉じた状態で、該仮設排水冶具の保持板を前記ドレイン金具の皿状部の上方部分に載置し、次に前記ドレイン金具及び前記仮設排水冶具を覆板で覆う工程を行なうことを特徴とする。
【００１０】
上記課題を解決するための本発明の請求項２の仮設排水冶具は、バルコニー等に埋設され、上方部が皿状部で、この皿上部から下方に突出した円筒部とからなるドレイン金具に仮に取付ける仮設排水冶具において、前記仮設排水冶具は、排水口穴が設けられ、前記ドレイン金具の皿状部の上方部分に載置される保持板と、この保持板に固定された蛇腹よりなるパイプとからなり、前記パイプは蛇腹を閉じた時に前記ドレイン金具の円筒部内に収納される長さであることを特徴とする。
【００１１】
上記課題を解決するための本発明の請求項３及び４のドレイン金具埋設施工方法及び仮設排水冶具は、上記請求項１及び２において、前記仮設排水冶具には、前記保持板の排水口穴の近傍に取付けられた第１のリングと、前記パイプの下方部に取付けられた第２のリングと、前記第２のリングに一端が固定され、前記パイプの排水穴を通して前記第１のリングに挿通された紐とが設けられていることを特徴とする。
【発明の効果】
【００１２】
仮設排水冶具は、保持板とパイプとで構成され、部品点数が少なくコスト低減が図れる。また仮設排水冶具はドレイン金具を埋設する時にセットすることができ、そのセットもドレイン金具に載置するのみでよく、更にドレイン金具が埋設された後は、閉じたパイプの蛇腹を開放する操作のみでよいので、短時間にこれらの操作をが行なえる。この点からも施工コストを大幅に低減できる。
【図面の簡単な説明】
【００１３】
【図１】本発明の一実施の形態である仮設排水冶具をセットし、ドレイン金具を埋設するドレイン金具埋設施工方法の断面図である。
【図２】ドレイン金具の埋設後、仮設排水冶具のパイプの蛇腹を伸ばした状態の断面図である。
【図３】本配管を取付ける前の断面図である。
【発明を実施するための形態】
【００１４】
本発明の仮設排水冶具の一実施の形態を図１及び図２により説明する。仮設排水冶具１０は、平板状の保持板１１と、この保持板１１の下面に固定された蛇腹のパイプ１２とから構成され、保持板１１にはパイプ１２の排水穴１２ａに連通する排水口穴１１ａが形成されている。保持板１１の排水口穴１１ａの内面にはリング１３が固定されており、このリング１３に対応してパイプ１２の下方部の外周のもリング１４が固定されている。リング１４には紐１５の一端が固定されており、紐１５の他端は排水穴１２ａを通ってリング１３に挿通されている。そして、パイプ１２の蛇腹を閉じた（縮小した）状態にして、紐１５をリング１３に結び付ける。
【００１５】
次にドレイン金具埋設施工方法について説明する。本実施の形態のドレイン金具埋設施工方法は、仮設排水冶具１０をセットした状態でドレイン金具の埋設施工を行なうことができる点が特許文献１と異なり、その他は特許文献１とほぼ同じである。
【００１６】
メタルフォーム等で形成された型枠２０の上面の所定位置には、ドレイン金具２１の位置固定用の位置決め板２２が固定されている。ドレイン金具２１は、上方部の皿状部２１ａと、この皿状部２１ａの中央部分から下方に漏斗状に突出したテーパ状の円筒部２１ｂと、皿状部２１ａの下面から円筒部２１ｂの外周に同心円的に設けられた筒部２１ｃとが一体的に形成されている。
【００１７】
位置決め板２２の外周には筒状のスペーサ２３を位置決めする位置決め突起２２ａが形成されている。スペーサ２３の位置決めは、位置決め板２２に穴を設け、スペーサ２３に位置決め板２２の穴に係合する突起を設けてもよい。またその逆に、位置決め板２２に突起を設け、スペーサ２３に位置決め板２２の突起に係合する穴を設けてもよい。位置決め板２２の中心部には、支持軸２４が溶接又はねじ螺合により立設して一体的に固定されている。支持軸２４にはドレイン金具２１の上面を覆う覆板２５が挿入されており、覆板２５は支持軸２４の上方部に形成されたねじ部に螺合されたナット２６で固定されている。
【００１８】
上記構成は、特許文献１とほぼ同じ構成となっている。本実施の形態においては、ドレイン金具２１の皿状部２１ａの上方部に仮設排水冶具１０を載置する保持板載置部２１ｄが形成されている。なお、仮設排水冶具１０は、パイプ１２の蛇腹を閉じた（縮小した）状態で保持板１１をドレイン金具２１の保持板載置部２１ｄに載置した場合、パイプ１２がドレイン金具２１の円筒部２１ｂに収納される長さとなっている。
【００１９】
次にドレイン金具埋設施工方法を図１により説明する。この施工方法は、特許文献１とほぼ同じである。異なる点は仮設排水冶具１０をドレイン金具２１上にセットして施工することである。
【００２０】
まず、支持軸２４が固定された位置決め板２２を型枠２０上の所定位置に固定する。次にスペーサ２３を位置決め板２２に装着して載置する。続いてスペーサ２３の外側にドレイン金具２１の筒部２１ｃの内周部を嵌合させる。その後、ドレイン金具２１の保持板載置部２１ｄに仮設排水冶具１０の保持板１１を載置する。次に覆板２５を支持軸２４に挿入してドレイン金具２１の上面に載置する。そして、支持軸２４のねじ部にナット２６を螺合させる。これにより、ドレイン金具２１は固定される。この状態でドレイン金具２１の外周側全体を埋めるように、型枠２０上にコンクリート３０を打設する。これにより、ドレイン金具２１はコンクリート３０に埋設される。
【００２１】
コンクリート３０が固化した後、ナット２６を支持軸２４より取り外して覆板２５を取り外す。次に型枠２０をコンクリート３０の下面側から取り外すことによって、位置決め板２２、支持軸２４及びスペーサ２３も取り外される。続いてリング１３に締め付けていた紐１５をほどく。これにより、パイプ１２の蛇腹が伸びる手状態となる。そこで、図２に示すように、パイプ１２を下方に引っ張って伸ばし、パイプ１２を仮設足場の外側に配設する。これにより、ドレイン金具２１に本配管を設置するまでの期間において、バルコニーの雨水は、仮設排水冶具１０のパイプ１２を通って仮設足場の外側に排出される。ドレイン金具２１に配管を設置する場合には、仮設排水冶具１０をドレイン金具２１の上方より取り外す（図３参照）。
【００２２】
このように、本実施の形態の仮設排水冶具１０は、保持板１１とパイプ１２とで構成され、部品点数が少なくコスト低減が図れる。また仮設排水冶具１０はドレイン金具２１を埋設する時にセットすることができ、そのセットもドレイン金具２１に載置するのみでよく、更にドレイン金具２１が埋設された後は、閉じたパイプ１２の蛇腹を開放する操作のみでよいので、短時間にこれらの操作をが行なえる。この点からも施工コストを大幅に低減できる。
【００２３】
なお、上記実施の形態においては、仮設排水冶具１０を特許文献１の構造よりなるドレイン金具を埋設施工する場合に適用した。しかし、本実施の形態は、特許文献１のような構造のドレイン金具に限らないことは言うまでもない。また上記実施の形態においては、仮設排水冶具１０をドレイン金具の埋設施工時にセットする場合について説明したが、ドレイン金具のみを埋設した後に仮設排水冶具１０を取付けてもよい。またリング１４は保持板１１の排水口穴１１ａに設けたが保持板１１の下面またはパイプ１２の排水穴１２ａの上方部に取付けてもよい。
【符号の説明】
【００２４】
１０  仮設排水冶具
１１  保持板
１１ａ  排水口穴
１２  パイプ
１２ａ  排水穴
１３、１４  リング
１５  紐
２０  型枠
２１  ドレイン金具
２１ａ  皿状部
２１ｂ  円筒部
２２  位置決め板
２４  支持軸
２５  覆板
３０  コンクリート
【図１】
2013129974.tif 000003
【図２】
2013129974.tif 000004
【図３】
2013129974.tif 000005